(57)【要約】【課題】  噴霧処理を継続して行うことができる二流体噴霧システムを提供する。【解決手段】  二流体噴霧システム１００は、二流体ノズル４と、気体供給部１と、液体供給部２と、制御部７とを備える。制御部７は、複数の液体タンク２１ａ，２１ｂのうち加圧液体の量が所定量以上であるいずれかの液体タンクを使用タンクとし、タンク切替弁２６を制御して使用タンクと液体供給管２２との間を導通させる。制御部７は、使用タンク内の加圧液体の量が所定量未満になった場合、タンク切替弁２６を制御して、使用タンクと液体供給管２２との間を遮断する。そして、制御部７は、加圧液体の量が所定量以上であるいずれかの液体タンクを新たな使用タンクとして、新たな使用タンクと液体供給管２２との間を導通させる。【選択図】図１
2017154091.tif 000002
【特許請求の範囲】
【請求項１】
圧縮気体および加圧液体を供給されて、液体を噴霧する二流体ノズルと、
前記二流体ノズルに前記圧縮気体を供給する気体供給部と、
前記二流体ノズルに前記加圧液体を供給する液体供給部と、
前記液体供給部を制御する制御部とを備え、
前記気体供給部は、前記圧縮気体を貯蔵する気体タンクと、前記気体タンクから前記二流体ノズルに前記圧縮気体を供給する気体供給管とを有し、
前記液体供給部は、前記加圧液体を貯蔵する複数の液体タンクと、前記二流体ノズルに前記加圧液体を供給する液体供給管と、前記複数の液体タンクのそれぞれと前記液体供給管との間を個別に導通または遮断するタンク切替部とを有し、
前記制御部は、
前記複数の液体タンクのうち前記加圧液体の量が所定量以上であるいずれかの液体タンクを使用タンクとし、前記タンク切替部を制御して前記使用タンクと前記液体供給管との間を導通させ、
前記使用タンク内の前記加圧液体の量が前記所定量未満になった場合、前記タンク切替部を制御して、前記使用タンクと前記液体供給管との間を遮断し、前記加圧液体の量が前記所定量以上であるいずれかの液体タンクを新たな使用タンクとして、前記新たな使用タンクと前記液体供給管との間を導通させる
ことを特徴とする二流体噴霧システム。
【請求項２】
前記複数の液体タンクのそれぞれに前記加圧液体を個別に補給する液体補給部をさらに備え、
前記制御部は、さらに前記液体補給部を制御するように構成され、前記複数の液体タンクのうち前記加圧液体の量が前記所定量以未満である液体タンクがある場合、前記加圧液体の量が前記所定量以未満である液体タンクに前記液体補給部から前記加圧液体を補給させる
ことを特徴とする請求項１記載の二流体噴霧システム。
【請求項３】
前記気体供給部から前記液体供給部に前記圧縮気体を供給する補助加圧部をさらに備え、
前記補助加圧部は、前記気体タンクと前記複数の液体タンクのそれぞれとを連通させる補助管と、前記気体タンクと前記複数の液体タンクのそれぞれとの間を個別に導通または遮断する開閉部とを有し、
前記制御部は、さらに前記補助加圧部を制御するように構成され、前記使用タンクのタンク内圧力が閾値未満に低下した場合、前記開閉部を制御して、前記使用タンク内に前記圧縮気体を供給する
ことを特徴とする請求項１または２記載の二流体噴霧システム。
【請求項４】
前記複数の液体タンクのそれぞれに貯蔵されている加圧液体は、前記複数の液体タンクのうち他の１つ以上の液体タンクに貯蔵されている加圧液体と性状が異なることを特徴とする請求項１乃至３のいずれか一項に記載の二流体噴霧システム。
【請求項５】
前記気体タンク内の前記圧縮気体の圧力を調整する圧力調整部をさらに備え、
前記圧力調整部は、太陽光発電装置の発電電力によって動作して、前記気体タンク内の前記圧縮気体の圧力を上昇させる
ことを特徴とする請求項１乃至４のいずれか一項に記載の二流体噴霧システム。
【発明の詳細な説明】
【技術分野】
【０００１】
本発明は、二流体噴霧システムに関する。
【背景技術】
【０００２】
従来、圧縮気体供給系からの圧縮気体および加圧液体供給系からの水を、二流体ノズルに供給して、二流体ノズルが霧化流体を噴射する二流体噴霧装置がある。加圧液体供給系は、給水タンクからバッファタンクに水を移送し、バッファタンクに貯められている水を二流体ノズルに供給する（たとえば、特許文献１参照）。
【先行技術文献】
【特許文献】
【０００３】
【特許文献１】特開２０１４−２３９７６号公報
【発明の概要】
【発明が解決しようとする課題】
【０００４】
上述の従来の二流体噴霧装置は、バッファタンク内の水が少なくなると、給水タンクからバッファタンクに水を移送する必要がある。給水タンクからバッファタンクに水を移送する移送処理の間、二流体噴霧装置は、霧化流体の噴射を停止する必要があり、噴霧処理の停止時間が長くなって、噴霧処理を継続して行うことが困難であった。
【０００５】
本発明は、上記事由に鑑みてなされたものであり、その目的とするところは、噴霧処理を継続的に行うことができる二流体噴霧システムを提供することにある。
【課題を解決するための手段】
【０００６】
本発明の一態様に係る二流体噴霧システムは、二流体ノズルと、気体供給部と、液体供給部と、制御部とを備える。二流体ノズルは、圧縮気体および加圧液体を供給されて、液体を噴霧する。気体供給部は、二流体ノズルに圧縮気体を供給する。液体供給部は、二流体ノズルに加圧液体を供給する。制御部は、液体供給部を制御する。そして、気体供給部は、圧縮気体を貯蔵する気体タンクと、気体タンクから二流体ノズルに圧縮気体を供給する気体供給管とを有する。液体供給部は、複数の液体タンクと、液体供給管と、タンク切替部とを有する。複数の液体タンクのそれぞれは、加圧液体を貯蔵する。液体供給管は、二流体ノズルに加圧液体を供給する。タンク切替部は、複数の液体タンクのそれぞれと液体供給管との間を個別に導通または遮断する。制御部は、複数の液体タンクのうち加圧液体の量が所定量以上であるいずれかの液体タンクを使用タンクとし、タンク切替部を制御して使用タンクと液体供給管との間を導通させる。制御部は、使用タンク内の加圧液体の量が所定量未満になった場合、タンク切替部を制御して、使用タンクと液体供給管との間を遮断する。そして、制御部は、加圧液体の量が所定量以上であるいずれかの液体タンクを新たな使用タンクとして、新たな使用タンクと液体供給管との間を導通させる。
【発明の効果】
【０００７】
以上説明したように、本発明は、噴霧処理を継続的に行うことができるという効果がある。
【図面の簡単な説明】
【０００８】
【図１】本発明の実施形態に係る二流体噴霧システムを示す構成図である。
【図２】図２Ａは、同上の変形例１の二流体噴霧システムの一状態を示す構成図である。図２Ｂは、同上の変形例１の二流体噴霧システムの別の状態を示す構成図である。
【図３】同上の変形例２の二流体噴霧システムを示す構成図である。
【発明を実施するための形態】
【０００９】
本発明は、二流体噴霧システムに関する。より詳細には、本発明は、二流体ノズルを備えた二流体噴霧システムに関する。
【００１０】
以下に本発明の実施形態を図面に基づいて説明する。
【００１１】
（実施形態１）
本実施形態は、図１に示す二流体噴霧システム１００を例示する。二流体噴霧システム１００は、たとえば冷却用のミスト発生装置、加湿器、塗装装置、薬剤散布装置として用いられる。なお、二流体噴霧システム１００の用途は、上述の各用途に限定されない。
【００１２】
二流体噴霧システム１００は、気体供給部１と、液体供給部２と、補助加圧部３と、二流体ノズル４と、コンプレッサ５（圧力調整部）と、液体補給部６と、制御部７とを備える。
【００１３】
気体供給部１は、気体タンク１１と、気体供給管１２と、オンオフ弁１３と、圧力調整弁１４と、流量調整弁１５とを備える。
【００１４】
気体タンク１１は、密閉型のタンクであり、コンプレッサ５から圧縮空気（圧縮気体）を充填されるように構成される。気体供給管１２は、一端が気体タンク１１に接続し、他端が二流体ノズル４の気体流路に接続している。すなわち、気体供給管１２は、気体タンク１１内の圧縮空気を二流体ノズル４の気体流路に供給する供給路として機能する。
【００１５】
オンオフ弁１３、圧力調整弁１４、および流量調整弁１５のそれぞれは、気体供給管１２に設けられている。オンオフ弁１３は、気体供給管１２を通る圧縮空気の導通、遮断を切り替える。圧力調整弁１４は、気体供給管１２を通って二流体ノズル４に供給される圧縮空気の圧力を調整する。流量調整弁１５は、気体供給管１２を通って二流体ノズル４に供給される圧縮空気の流量を調整する。なお、オンオフ弁１３は、電磁弁または電動弁で構成されることが好ましい。また、圧力調整弁１４は、減圧弁で構成されることが好ましい。また、流量調整弁１５は、電動弁で構成されることが好ましい。
【００１６】
液体供給部２は、２つの液体タンク２１ａ，２１ｂと、液体供給管２２と、オンオフ弁２３と、圧力調整弁２４と、流量調整弁２５と、タンク切替弁２６（タンク切替部）とを備える。
【００１７】
液体タンク２１ａ，２１ｂのそれぞれは、密閉型のタンクであり、液体補給部６から加圧されて供給された水（加圧液体）を貯蔵するように構成される。さらに、液体タンク２１ａ，２１ｂのそれぞれは、タンク切替弁２６を介して液体供給管２２の一端に接続される。タンク切替弁２６は三方弁であり、液体タンク２１ａ，２１ｂのいずれか一方が、タンク切替弁２６を通って液体供給管２２に連通する。液体供給管２２の他端は、二流体ノズル４の液体流路に接続している。
【００１８】
オンオフ弁２３、圧力調整弁２４、および流量調整弁２５のそれぞれは、液体供給管２２に設けられている。オンオフ弁２３は、液体供給管２２を通る水の導通、遮断を切り替える。圧力調整弁２４は、液体供給管２２を通って二流体ノズル４に供給される水の圧力を調整する。流量調整弁２５は、液体供給管２２を通って二流体ノズル４に供給される水の流量を調整する。なお、オンオフ弁２３およびタンク切替弁２６は、電磁弁または電動弁で構成されることが好ましい。また、圧力調整弁２４は、減圧弁で構成されることが好ましい。また、流量調整弁２５は、電動弁で構成されることが好ましい。
【００１９】
また、液体補給部６は、水供給源６１と、流路切替弁６２とを備える。水供給源６１は、上水道などから供給された水をポンプなどによって加圧し、この加圧した水を供給する。流路切替弁６２は三方弁であり、水供給源６１から供給された水は、流路切替弁６２を通って、液体タンク２１ａまたは液体タンク２１ｂに貯められる。また、液体タンク２１ａ，２１ｂのそれぞれは、水供給源６１側に水が逆流しないように逆止弁が設けられている。また、流路切替弁６２は、全閉状態となることで、水供給源６１から液体タンク２１ａおよび液体タンク２１ｂの両方への水の供給を停止させることも可能である。なお、流路切替弁６２は、電磁弁または電動弁で構成されることが好ましい。
【００２０】
そして、二流体ノズル４は、気体供給管１２から供給される圧縮空気と液体供給管２２から供給される水とを混合して噴出することで、微粒化した水（ミスト）を噴霧することができる。二流体ノズル４が噴霧するミストは、空間の冷却および加湿、または塗料の塗布、または薬剤の散布などに用いられる。
【００２１】
補助加圧部３は、補助管３１と、開閉部３２とを備える。補助管３１は、気体タンク１１から液体タンク２１ａ，２１ｂにそれぞれ分岐した分岐路３１ａ，３１ｂを備えており、気体タンク１１から液体タンク２１ａ，２１ｂのそれぞれに至る圧縮空気の流路となる。開閉部３２は、２つの流路切替弁３２ａ，３２ｂを備える。流路切替弁３２ａ，３２ｂは、三方弁であり、分岐路３１ａ，３１ｂにそれぞれ設けられる。なお、流路切替弁３２ａ，３２ｂは、電磁弁または電動弁で構成されることが好ましい。
【００２２】
流路切替弁３２ａは、気体タンク１１から液体タンク２１ａに至る分岐路３１ａに配置される。流路切替弁３２ｂは、気体タンク１１から液体タンク２１ｂに至る分岐路３１ｂに配置される。流路切替弁３２ａは、液体タンク２１ａ内を気体タンク１１内または外気に連通させる。すなわち、液体タンク２１ａ内は、流路切替弁３２ａを通って気体タンク１１または外気に連通する。また、流路切替弁３２ｂは、液体タンク２１ｂ内を気体タンク１１内または外気に連通させる。すなわち、液体タンク２１ｂ内は、流路切替弁３２ｂを通って気体タンク１１または外気に連通する。
【００２３】
また、流路切替弁３２ａが全閉状態となることで、液体タンク２１ａは、気体タンク１１および外気の両方に連通しない状態となる。さらに、流路切替弁３２ｂが全閉状態となることで、液体タンク２１ｂは、気体タンク１１および外気の両方に連通しない状態となる。
【００２４】
制御部７は、気体制御部７１と、液体制御部７２と、補給制御部７３と、補助制御部７４とを備える。
【００２５】
気体制御部７１は、オンオフ弁１３、および流量調整弁１５、コンプレッサ５のそれぞれを個別に制御する。液体制御部７２は、オンオフ弁２３、流量調整弁２５、タンク切替弁２６のそれぞれを個別に制御する。補給制御部７３は、流路切替弁６２を制御する。補助制御部７４は、流路切替弁３２ａ，３２ｂのそれぞれを個別に制御する。圧力調整弁１４は、弁開度が自律的に変化することで第１設定圧力の圧縮空気を送出する減圧弁である。圧力調整弁２４は、弁開度が自律的に変化することで第２設定圧力の水を送出する減圧弁である。なお、図１において、制御部７と制御対象との間に敷設される制御線などは省略されている。
【００２６】
また、液体タンク２１ａ内には、圧力センサ３０１、および液面センサ３１１が設けられている。圧力センサ３０１は、液体タンク２１ａのタンク内圧力（液体タンク２１ｂから供給される水の圧力）を計測する。液面センサ３１１は、液体タンク２１ａ内の水位（貯水量）を測定する。さらに、液体タンク２１ｂ内には、圧力センサ３０２、および液面センサ３１２が設けられている。圧力センサ３０２は、液体タンク２１ｂのタンク内圧力（液体タンク２１ｂから供給される水の圧力）を計測する。液面センサ３１２は、液体タンク２１ｂ内の水位（貯水量）を測定する。圧力センサ３０１，３０２、および液面センサ３１１，３１２の各測定データは、制御部７へ送信される。なお、図１において、圧力センサ３０１，３０２、液面センサ３１１，３１２、およびコンプレッサ５と制御部７との間に敷設される信号線などは省略されている。
【００２７】
以下、二流体噴霧システム１００の動作について説明する。
【００２８】
まず、液体タンク２１ａ，２１ｂのそれぞれには、水供給源６１から供給された水が貯蔵されており、液体タンク２１ａ，２１ｂのそれぞれの水位は、予め決められた上限水位であるとする。
【００２９】
コンプレッサ５は、商用電源２０１から駆動電力を供給されて、圧縮空気を気体タンク１１に送り出す。気体タンク１１内には、圧縮空気の圧力（気体タンク１１内の圧力）を計測する圧力センサ４０１が設けられており、圧力センサ４０１の計測データは、制御部７へ送信される。気体制御部７１は、気体タンク１１内の圧力が下限値になると、コンプレッサ５の運転を開始して気体タンク１１に圧縮空気を供給する。そして、気体制御部７１は、気体タンク１１内の圧力が上限値になると、コンプレッサ５の運転を停止させる。また、補助制御部７４は、流路切替弁３２ａ，３２ｂを全閉状態に制御している。
【００３０】
そして、気体制御部７１は、オンオフ弁１３を開制御し、流量調整弁１５の開度を制御することで、気体タンク１１から気体供給管１２へ圧縮空気を送り出し、圧力調整弁１４によって第１設定圧力に調整された圧縮空気を二流体ノズル４へ供給する。
【００３１】
また、補給制御部７３は、流路切替弁６２を制御して、水供給源６１を液体タンク２１ａ内に連通させる。さらに、液体制御部７２は、タンク切替弁２６を制御して、液体タンク２１ａを液体供給管２２に連通させる。さらに、液体制御部７２は、オンオフ弁２３を開制御し、流量調整弁２５の開度を制御することで、液体タンク２１ａから液体供給管２２へ水を送り出し、圧力調整弁２４によって第２設定圧力に調整された水を二流体ノズル４へ供給する。すなわち、液体タンク２１ａから二流体ノズル４へ水を供給しており、液体タンク２１ａが使用タンクとなる。ここで、使用タンクとは、液体タンク２１ａ，２１ｂのうち、タンク切替弁２６を通して液体供給管２２に連通しているいずれかの液体タンクのことである。
【００３２】
二流体ノズル４は、気体供給管１２から供給される圧縮空気と液体供給管２２から供給される水とを混合して噴出させることで、ミストを噴霧する。
【００３３】
このとき、水供給源６１が送出する水の圧力が、圧力調整弁２４の第２設定圧力より高ければ、二流体ノズル４に供給される水の圧力も第２設定圧力となり、二流体ノズル４は正常な噴霧を行うことができる。しかし、水供給源６１が送出する水の圧力が、圧力調整弁２４の第２設定圧力より低ければ、二流体ノズル４に供給される水の圧力は第２設定圧力未満となり、二流体ノズル４は正常な噴霧を行うことができなくなる。
【００３４】
そこで、補助制御部７４は、使用タンクである液体タンク２１ａのタンク内圧力が閾値未満になった場合、流路切替弁３２ａを制御して、気体タンク１１内を液体タンク２１ａ内に連通させる。したがって、気体タンク１１から液体タンク２１ａに圧縮空気が供給されて、液体タンク２１ａのタンク内圧力が増大する。そして、補助制御部７４は、液体タンク２１ａのタンク内圧力が閾値未満に低下しないように、流路切替弁３２ａを制御する。すなわち、液体タンク２１ａのタンク内圧力が、水供給源６１から供給される水の圧力よりも高くなる。このとき、液体タンク２１ａの逆止弁によって、液体タンク２１ａから水供給源６１側への水の逆流は抑制される。なお、使用タンクのタンク内圧力と比較される上述の閾値は、圧力調整弁２４の第２設定圧力以上に設定される。
【００３５】
そして、液体タンク２１ａのタンク内圧力が、水供給源６１から供給される水の圧力よりも高くなることで、水供給源６１から液体タンク２１ａへ水が供給されなくなり、液体タンク２１ａの水位は徐々に低下する。そして、液体タンク２１ａ内の水位が予め決められた下限水位未満にまで低下すると、液体制御部７２は、タンク切替弁２６を制御して、液体タンク２１ａを液体供給管２２から遮断した後に、液体タンク２１ｂを液体供給管２２に連通させる。すなわち、液体タンク２１ｂから二流体ノズル４へ水が供給されて、液体タンク２１ｂが使用タンクとなる。このとき、液体制御部７２は、液体タンク２１ｂ内の水位が下限水位以上であることを、液体タンク２１ｂへの切替条件として用いる。
【００３６】
液体制御部７２が使用タンクを液体タンク２１ａから液体タンク２１ｂに切り替えた後、補助制御部７４は、流路切替弁３２ａを制御して、液体タンク２１ａ内を外気へ連通させる。
【００３７】
また、補給制御部７３は、流路切替弁６２を制御して、水供給源６１を液体タンク２１ｂ内に連通させる。このとき、水供給源６１が送出する水の圧力が増大して、液体タンク２１ｂのタンク内圧力が、圧力調整弁２４の第２設定圧力より高くなれば、二流体ノズル４は正常な噴霧を行うことができる。しかし、水供給源６１が送出する水の圧力が圧力調整弁２４の第２設定圧力より低ければ、二流体ノズル４に供給される水の圧力も低くなり、二流体ノズル４は正常な噴霧を行うことができなくなる。
【００３８】
そこで、補助制御部７４は、使用タンクである液体タンク２１ｂのタンク内圧力が閾値未満になった場合、流路切替弁３２ｂを制御して、気体タンク１１内を液体タンク２１ｂ内に連通させる。したがって、気体タンク１１から液体タンク２１ｂに圧縮空気が供給されて、液体タンク２１ｂのタンク内圧力が増大する。そして、補助制御部７４は、液体タンク２１ｂのタンク内圧力が閾値未満に低下しないように、流路切替弁３２ｂを制御する。すなわち、液体タンク２１ｂのタンク内圧力が、水供給源６１から供給される水の圧力よりも高くなる。このとき、液体タンク２１ｂの逆止弁によって、液体タンク２１ｂから水供給源６１側への水の逆流は抑制される。
【００３９】
そして、液体タンク２１ｂのタンク内圧力が、水供給源６１から供給される水の圧力よりも高くなることで、水供給源６１から液体タンク２１ｂへ水が供給されなくなり、液体タンク２１ｂの水位は徐々に低下する。
【００４０】
また、気体タンク１１から液体タンク２１ｂへの圧縮空気の供給が開始された場合、補給制御部７３は、流路切替弁６２を制御し、水供給源６１を液体タンク２１ｂ内から遮断して、水供給源６１を液体タンク２１ａ内に連通させる。このとき、液体タンク２１ａは、流路切替弁３２ａを通って外気に連通しているので、水供給源６１から液体タンク２１ａ内への水の供給は可能となる。補給制御部７３は、液体タンク２１ａ内の水位が下限水位未満であり、かつ液体タンク２１ａのタンク内圧力が所定圧力未満にまで下がっていれば、流路切替弁６２を制御して水供給源６１から液体タンク２１ａへ水を補給する。補給制御部７３は、液体タンク２１ａ内の水位が上限水位にまで上昇すると、流路切替弁６２を制御して水供給源６１から液体タンク２１ａへの水の供給を停止する。その後、補助制御部７４は、流路切替弁３２ａを全閉状態に制御する。
【００４１】
一方、液体タンク２１ｂの水位は徐々に低下する。そして、液体タンク２１ｂ内の水位が予め決められた下限水位未満にまで低下すると、液体制御部７２は、タンク切替弁２６を制御して、液体タンク２１ｂを液体供給管２２から遮断した後に、液体タンク２１ａを液体供給管２２に連通させる。すなわち、液体タンク２１ａから二流体ノズル４へ水が供給されて、液体タンク２１ａが使用タンクとなる。このとき、液体制御部７２は、液体タンク２１ａ内の水位が下限水位以上であることを、液体タンク２１ａへの切替条件として用いる。
【００４２】
液体制御部７２が使用タンクを液体タンク２１ｂから液体タンク２１ａに切り替えた後、補助制御部７４は、流路切替弁３２ｂを制御して、液体タンク２１ｂ内を外気へ連通させる。
【００４３】
また、補給制御部７３は、流路切替弁６２を制御して、水供給源６１を液体タンク２１ａ内に連通させる。このとき、水供給源６１が送出する水の圧力が増大して、液体タンク２１ａのタンク内圧力が、圧力調整弁２４の第２設定圧力より高くなれば、二流体ノズル４は正常な噴霧を行うことができる。しかし、水供給源６１が送出する水の圧力が圧力調整弁２４の第２設定圧力より低ければ、二流体ノズル４に供給される水の圧力も低くなり、二流体ノズル４は正常な噴霧を行うことができなくなる。
【００４４】
以降、二流体噴霧システム１００は、水供給源６１が送出する水の圧力が低ければ、使用タンクのタンク内圧力を補助加圧部３から供給する圧縮空気によって増大させる。また、使用タンク内の水が下限水位まで低下すると、上記同様に使用タンクを液体タンク２１ａ，２１ｂのいずれかに交互に切り替え、さらに液体タンク２１ａ，２１ｂへの水の補給も交互に行う。
【００４５】
すなわち、二流体噴霧システム１００は、使用タンク（二流体ノズル４への水の供給元）として用いている液体タンク２１ａ内の水が少なくなった場合、使用タンクを液体タンク２１ａから液体タンク２１ｂへ自動で切り替える。また、二流体噴霧システム１００は、使用タンクとして用いている液体タンク２１ｂ内の水が少なくなった場合、使用タンクを液体タンク２１ｂから液体タンク２１ａへ自動で切り替える。したがって、二流体噴霧システム１００は、使用タンク内の水が少なくなった場合に、新たな使用タンクに切り替えるので、噴霧処理の停止時間が短縮されて、二流体ノズル４を用いた噴霧処理を継続して行うことができる。
【００４６】
さらに、気体タンク１１から液体タンク２１ｂへ圧縮空気が供給された場合、二流体噴霧システム１００は、液体タンク２１ａに水を自動で補充する。また、気体タンク１１から液体タンク２１ａへ圧縮空気が供給された場合、二流体噴霧システム１００は、液体タンク２１ｂに水を自動で補充する。したがって、二流体噴霧システム１００は、液体タンク２１ａ，２１ｂを交互に用いて、二流体ノズル４への水の供給を継続することができる。すなわち、二流体噴霧システム１００は、二流体ノズル４を用いた噴霧処理をより長時間継続して行うことができる。
【００４７】
また、二流体噴霧システム１００は、水供給源６１が送出する水の圧力が低ければ、使用タンクのタンク内圧力を補助加圧部３から供給する圧縮空気によって増大させる。したがって、二流体噴霧システム１００は、水供給源６１が送出する水の圧力が低い場合でも、二流体ノズル４へ供給する水の圧力を維持できるので、二流体ノズル４が噴霧するミストの質を安定させることができる。
【００４８】
また、水供給源６１は、液体タンク２１ａへ供給する液体の性状と、液体タンク２１ｂへ供給する液体の性状とを異ならせてもよい。たとえば、液体タンク２１ａへ供給する水に含まれる香料と、液体タンク２１ｂへ供給する水に含まれる香料と異ならせる。この場合、使用タンクが液体タンク２１ａである場合に二流体ノズル４が噴霧するミストと、使用タンクが液体タンク２１ｂである場合に二流体ノズル４が噴霧するミストとは、互いに香りが異なる。したがって、二流体噴霧システム１００は、香りが異なるミストを交互に噴霧でき、ユーザに香りの変化をサービスとして提供できる。
【００４９】
また、二流体噴霧システム１００は、香りが異なる複数のミストからいずれかを選択して噴霧してもよい。
【００５０】
また、液体の性状としては、上述の香り以外に、含有される除虫剤の成分（駆除の対象となる虫が異なる）、含有される色素（ミストの色が異なる）などであってもよく、液体の性状は特定の要素に限定されない。
【００５１】
また、図２Ａ、図２Ｂに示すように、開閉部３２は、１つの流路切替弁３２ｃを有してもよい（変形例１）。流路切替弁３２ｃは、四方弁である。なお、流路切替弁３２ｃは、電磁弁または電動弁で構成されることが好ましい。
【００５２】
流路切替弁３２ｃは、補助管３１と補助管３１ａ，３１ｂとの間に配置される。流路切替弁３２ｃは、液体タンク２１ａ内を気体タンク１１内または外気に連通させることができる。また、流路切替弁３２ｃは、液体タンク２１ｂ内を気体タンク１１内または外気に連通させることができる。また、液体タンク２１ａが気体タンク１１および外気の両方に連通しない状態、液体タンク２１ｂが気体タンク１１および外気の両方に連通しない状態も可能である。この状態は、上述の流路切替弁３２ａ，３２ｂのそれぞれが全閉状態となることに相当する。
【００５３】
そして、補助制御部７４は、流路切替弁３２ｃを制御する。すなわち、補助制御部７４は、上述の流路切替弁３２ａ，３２ｂを用いた場合と同様に、液体タンク２１ａと気体タンク１１および外気との連通状態、液体タンク２１ｂと気体タンク１１および外気との連通状態を制御する。
【００５４】
たとえば、補助制御部７４は、使用タンクである液体タンク２１ａのタンク内圧力が閾値未満になった場合、流路切替弁３２ｃを制御して、気体タンク１１内を液体タンク２１ａ内に連通させる（図２Ａ参照）。したがって、気体タンク１１から液体タンク２１ａに圧縮空気が供給されて、液体タンク２１ａのタンク内圧力が増大する。そして、補助制御部７４は、液体タンク２１ａのタンク内圧力が閾値未満に低下しないように、流路切替弁３２ｃを制御する。また、液体制御部７２が使用タンクを液体タンク２１ｂから液体タンク２１ａに切り替えた後、補助制御部７４は、流路切替弁３２ｃを制御して、液体タンク２１ｂ内を外気へ連通させる（図２Ａ参照）。
【００５５】
また、補助制御部７４は、使用タンクである液体タンク２１ｂのタンク内圧力が閾値未満になった場合、流路切替弁３２ｃを制御して、気体タンク１１内を液体タンク２１ｂ内に連通させる（図２Ｂ参照）。したがって、気体タンク１１から液体タンク２１ｂに圧縮空気が供給されて、液体タンク２１ｂのタンク内圧力が増大する。そして、補助制御部７４は、液体タンク２１ｂのタンク内圧力が閾値未満に低下しないように、流路切替弁３２ｃを制御する。また、液体制御部７２が使用タンクを液体タンク２１ａから液体タンク２１ｂに切り替えた後、補助制御部７４は、流路切替弁３２ｃを制御して、液体タンク２１ａ内を外気へ連通させる（図２Ｂ参照）。
【００５６】
次に、本実施形態の変形例２である二流体噴霧システム１０１の構成を図３に示す。
【００５７】
二流体噴霧システム１０１において、コンプレッサ５は、商用電源２０１に加えて、ＰＣＵ（Power Control Unit：パワーコントロールユニット）２０２から供給される電力も用いて動作する。
【００５８】
ＰＣＵ２０２は、太陽電池２０３、蓄電池２０４が接続されている。そして、ＰＣＵ２０２は、太陽電池２０３の発電電力を交流電力に変換し、この交流電力を商用電源２０１の系統に連系させて出力する機能を有する。この場合、ＰＣＵ２０２と太陽電池２０３とが、太陽光発電装置２０５を構成している。さらに、ＰＣＵ２０２は、太陽電池２０３の発電電力を直流電力に変換し、この直流電力を蓄電池２０４に充電する機能も有する。また、ＰＣＵ２０２は、蓄電池２０４の蓄電電力を交流電力に変換し、この交流電力を商用電源２０１の系統に連系させて出力する機能も有する。すなわち、コンプレッサ５は、太陽電池２０３の発電電力を用いて動作することで、商用電源２０１から供給される商用電力の使用量を抑制できる。
【００５９】
また、ＰＣＵ２０２は、太陽電池２０３の発電電力のうち、コンプレッサ５で消費されない余剰電力を蓄電池２０４に充電する。そして、太陽電池２０３が発電できない夜間などにおいて、ＰＣＵ２０２は、蓄電池２０４の蓄電電力を交流電力に変換し、この交流電力を商用電源２０１の系統に連系させて出力する、したがって、太陽電池２０３が発電できない夜間などにおいて、コンプレッサ５は、蓄電池２０４の蓄電電力を用いて動作することで、商用電源２０１から供給される商用電力の使用量を抑制できる。
【００６０】
上述のように、二流体噴霧システム１０１は、太陽電池２０３の発電電力を、気体タンク１１内に貯蔵される圧縮気体の圧力、および蓄電池２０４の蓄電電力の少なくとも一方として保存できる。したがって、太陽電池２０３の発電電力の廃棄が抑えられており、二流体噴霧システム１０１は、太陽電池２０３の発電電力を効率よく用いることができる。
【００６１】
また、二流体噴霧システム１０１は、電力供給源として、商用電力２０１を用いなくてもよい。この場合、二流体噴霧システム１０１は、太陽電池２０３の発電電力、および蓄電池２０４の蓄電電力の少なくとも１つを用いて動作する。
【００６２】
上述の二流体噴霧システム１００，１０１は、二流体ノズル４と、気体供給部１と、液体供給部２と、制御部７とを備える。二流体ノズル４は、圧縮気体（圧縮空気）および加圧液体（水）を供給されて、液体を噴霧する。気体供給部１は、二流体ノズル４に圧縮気体を供給する。液体供給部２は、二流体ノズル４に加圧液体を供給する。制御部７は、液体供給部２を制御する。そして、気体供給部１は、圧縮気体を貯蔵する気体タンク１１と、気体タンク１１から二流体ノズル４に圧縮気体を供給する気体供給管１２とを有する。液体供給部２は、複数の液体タンク２１ａ，２１ｂと、液体供給管２２と、タンク切替弁２６（タンク切替部）とを有する。複数の液体タンク２１ａ，２１ｂのそれぞれは、加圧液体を貯蔵する。液体供給管２２は、二流体ノズル４に加圧液体を供給する。タンク切替弁２６は、複数の液体タンク２１ａ，２１ｂのそれぞれと液体供給管２２との間を個別に導通または遮断する。制御部７は、複数の液体タンク２１ａ，２１ｂのうち加圧液体の量が所定量以上であるいずれかの液体タンクを使用タンクとし、タンク切替弁２６を制御して使用タンクと液体供給管２２との間を導通させる。制御部７は、使用タンク内の加圧液体の量が所定量未満になった場合、タンク切替弁２６を制御して、使用タンクと液体供給管２２との間を遮断する。そして、制御部７は、加圧液体の量が所定量以上であるいずれかの液体タンクを新たな使用タンクとして、新たな使用タンクと液体供給管２２との間を導通させる。
【００６３】
したがって、二流体噴霧システム１００，１０１は、使用タンク（液体タンク２１ａ，２１ｂのいずれか一方）内の水が少なくなった場合、使用タンクとして用いる液体タンクを別の液体タンク（液体タンク２１ａ，２１ｂのいずれか他方）へ自動で切り替える。したがって、二流体噴霧システム１００，１０１は、使用タンク内の水が少なくなった場合に、噴霧処理の停止時間が短縮されるので、二流体ノズル４を用いた噴霧処理を継続して行うことができる。
【００６４】
また、二流体噴霧システム１００，１０１は、複数の液体タンク２１ａ，２１ｂのそれぞれに加圧液体を個別に補給する液体補給部６をさらに備えることが好ましい。この場合、制御部７は、さらに液体補給部６を制御するように構成される。そして、制御部７は、複数の液体タンク２１ａ，２１ｂのうち加圧液体の量が所定量以未満である液体タンクがある場合、加圧液体の量が所定量以未満である液体タンクに液体補給部６から加圧液体を補給させる。
【００６５】
したがって、二流体噴霧システム１００，１０１は、複数の液体タンク２１ａ，２１ｂを順に用いて、二流体ノズル４への水の供給を継続することができる。すなわち、二流体噴霧システム１００，１０１は、二流体ノズル４を用いた噴霧処理をより長時間継続して行うことができる。なお、液体タンクの数は２台に限定されるものではなく、３台以上であってもよい。
【００６６】
また、二流体噴霧システム１００，１０１は、気体供給部１から液体供給部２に圧縮気体を供給する補助加圧部３をさらに備えることが好ましい。補助加圧部３は、補助管３１と、開閉部３２とを有する。補助管３１は、気体タンク１１と複数の液体タンク２１ａ，２１ｂのそれぞれとを連通させる。開閉部３２は、気体タンク１１と複数の液体タンク２１ａ，２１ｂのそれぞれとの間を個別に導通または遮断する。そして、制御部７は、さらに補助加圧部３を制御するように構成され、使用タンクのタンク内圧力が閾値未満に低下した場合、開閉部３２を制御して、使用タンク内に圧縮気体を供給する。
【００６７】
したがって、二流体噴霧システム１００，１０１は、水供給源６１が送出する水の圧力が低い場合でも、二流体ノズル４へ供給する水の圧力を維持できるので、二流体ノズル４が噴霧するミストの質を安定させることができる。
【００６８】
また、複数の液体タンク２１ａ，２１ｂのそれぞれに貯蔵されている加圧液体は、複数の液体タンク２１ａ，２１ｂのうち他の１つ以上の液体タンクに貯蔵されている加圧液体と性状が異なることが好ましい。
【００６９】
したがって、二流体噴霧システム１００，１０１は、性状が異なるミストを交互に噴霧でき、ユーザにミストの性状の変化をサービスとして提供できる。
【００７０】
また、二流体噴霧システム１０１は、気体タンク１１内の圧縮気体の圧力を調整するコンプレッサ５（圧力調整部）をさらに備える。この場合、コンプレッサ５は、太陽光発電装置２０５の発電電力によって動作して、気体タンク１１内の圧縮気体の圧力を上昇させることが好ましい。
【００７１】
したがって、二流体噴霧システム１０１は、太陽光発電装置２０５の発電電力を効率よく用いることができる。
【００７２】
また、制御部７は、コンピュータを備えている。コンピュータは、プログラムを実行するプロセッサを備えたデバイスと、他の装置との間で信号を授受するためのインターフェイス用のデバイスと、データを記憶するための記憶用のデバイスとを主な構成要素として備える。プロセッサを備えたデバイスは、半導体メモリと別体であるＣＰＵ（Central Processing Unit）またはＭＰＵ（Micro Processing Unit）のほか、半導体メモリを一体に備えるマイコンのいずれであってもよい。記憶用のデバイスは、半導体メモリのようにアクセス時間が短い記憶装置と、ハードディスク装置のような大容量の記憶装置とが併用される。
【００７３】
プログラムの提供形態としては、コンピュータに読み取り可能なＲＯＭ（Read Only Memory）、光ディスク等の記録媒体に予め格納されている形態、インターネット等を含む広域通信網を介して記録媒体に供給される形態等がある。
【００７４】
そして、制御部７は、コンピュータがプログラムを実行することによって、上述の気体制御部７１、液体制御部７２、補給制御部７３、および補助制御部７４の各機能が実現されている。
【００７５】
また、本実施形態において、上述の変形例１，２の各構成を組み合わせることは可能である。
【００７６】
また、上述の実施形態および変形例は本発明の一例である。このため、本発明は、上述の実施形態および変形例に限定されることはなく、この実施形態および変形例以外であっても、本発明に係る技術的思想を逸脱しない範囲であれば、設計等に応じて種々の変更が可能であることは勿論である。
【符号の説明】
【００７７】
１  気体供給部
１１  気体タンク
１２  気体供給管
２  液体供給部
２１ａ，２１ｂ  液体タンク
２２  液体供給管
２６  タンク切替弁（タンク切替部）
３  補助加圧部
３１  補助管
３２  開閉部
４  二流体ノズル
５  コンプレッサ（圧力調整部）
６  液体補給部
７  制御部
１００，１０１  二流体噴霧システム
２０２  ＰＣＵ（パワーコントロールユニット）
２０３  太陽電池
２０５  太陽光発電装置
【図１】
2017154091.tif 000003
【図２】
2017154091.tif 000004
【図３】
2017154091.tif 000005